(57)【要約】【課題】外部足場と同様な作業が行え、且つ室内作業床のために生じる各種作業を行える室内作業床及びその構築方法を提供する。【解決手段】壁面の一部を構成する中空柱Ｈ内に突起部Ｂが形成された建築途中の建物の室内側に設けられる室内作業床Ｓである。室内作業床Ｓは、室内側の壁面に取り付けられる支持部材１１，２１，３１と、作業者用の床部１２，２２，３２とを備え、支持部材１１，２１，３１は、一方側に設けられた中空柱Ｈ内の突起部Ｂとの係合部と、係合部から反対側に所定幅で延出した支持部１３，２３，３３と、を備え、支持部材１１，２１，３１の係合部は中空柱Ｈ内に形成された突起部Ｂに係合すると共に、支持部１３，２３，３３で床部１２，２２，３２を支持する。【選択図】図１Ａ
2014047610.tif 000002
【特許請求の範囲】
【請求項１】
壁面の一部を構成する中空柱内に突起部が形成された建築途中の建物の室内側に設けられる室内作業床であって、
前記室内作業床は、前記室内側の壁面に取り付けられる支持部材と、該支持部材に支持された作業者用の床部とを備え、
前記支持部材は、一方側に設けられた前記中空柱内の突起部との係合部と、該係合部から反対側に所定幅で延出した支持部と、を備え、
前記支持部材の係合部は前記中空柱内に形成された突起部に係合し、前記支持部材の支持部で前記床部を支持してなることを特徴とする室内作業床。
【請求項２】
前記突起部は、前記壁面を構成する壁面パネルと前記中空柱を連結するボルト又はナットであることを特徴とする請求項１記載の室内作業床。
【請求項３】
前記室内作業床は、入隅部、出隅部、直線部の少なくとも一つ以上を有して構成されていることを特徴とする請求項１又は２に記載の室内作業床。
【請求項４】
前記室内作業床は、入隅部、出隅部、直線部に亘って設けられていることを特徴とする請求項１乃至３のいずれか一項に記載の室内作業床。
【請求項５】
前記室内作業床には、手摺と、昇降手段との少なくとも一つが設けられていることを特徴とする請求項１乃至４のいずれか一項に記載の室内作業床。
【請求項６】
中空柱としての外部柱建込み工程と、該外部柱建込み工程で建込まれた中空柱間に壁面としての外壁パネルを建込む外壁パネル建込み工程と、
前記中空柱内の突起部に支持部材を係合させて設置する支持部材設置工程と、
前記支持部材上に床部を設置する床部設置工程と、
前記床部設置工程の後で、壁面と反対側の床部に手摺支柱を立設し、手摺支柱間に手摺を架設する手摺支柱・手摺設置工程と、を備えたことを特徴とする室内作業床の構築方法。
【請求項７】
前記中空柱内の突起部に支持部材を係合させて設置する支持部材設置工程は、入隅部、出隅部、直線部に支持部材を設置する工程であり、
前記支持部材上に床部を設置する床部設置工程は、入隅部、出隅部、直線部の床部を設置する工程であることを特徴とする請求項６記載の室内作業床の構築方法。
【請求項８】
更に室内作業床まで昇降するための昇降手段を設置する昇降手段設置工程とを備えたことを特徴とする請求項６又は７記載の室内作業床の構築方法。
【請求項９】
前記手摺支柱・手摺設置工程の後で、胴差・床梁〜２階床パネルまでの施工工程を行って、その後、室内作業床解体・集積・荷揚げ工程を行うことを特徴とする請求項６乃至８のいずれか一項に記載の室内作業床の構築方法。
【請求項１０】
前記外部柱建込み工程は、１階外部柱建込み工程又は２階外部柱建込み工程であり、前記外壁パネル建込み工程は、１階外壁パネル建込み工程又は２階外壁パネル建込み工程であることを特徴とする請求項６又は７に記載の室内作業床の構築方法。
【請求項１１】
昇降設備設置工程の後で、軒桁・小屋組から屋根パネルまでの施工工程を行って、その後、室内作業床解体・荷下ろし工程を行うことを特徴とする請求項６乃至８のいずれか一項に記載の室内作業床の構築方法。
【発明の詳細な説明】
【技術分野】
【０００１】
本発明は、室内作業床及びその構築方法に係り、特に外側に足場を構築せずに外部足場と同様な作業を行える室内作業床及びその構築方法に関する。
【背景技術】
【０００２】
一般に、工業化住宅などを建築するときにおいて、作業時における作業効率や安全性を確保するため、建物の周囲には、地面等から上方位置に外部足場が設置される。このとき、建物の周囲すべてに足場を構築するのを避けるために、移動可能な足場として、ロリングタワー形成の足場が知られている。
【０００３】
しかし、ロリングタワー形式の足場の場合、周囲を移動しながら行う連続作業のときに、こまめに移動させる必要が生じるため、作業性が低下することになる。また１棟で複数台必要となり、初期投資費用が大きくなる。ロリングタワーは一体化された作業床のため、人力で運搬するには重量が大きくなる。ロリングタワーは設置場所が平面であることが好ましく、設置する床・地表面の影響を受けやすい等の不都合がある。
【０００４】
また、外側に足場を構築することが困難な建設地（以下「狭小建設地」と称する。）に建物を建設する場合には、外部足場を建物の全周に設置することは、足場材料を置く場所や設置のスペース不足などにより困難な場合がある。
上記ロリングタワー形式の足場や外側の足場のいずれの場合にも、外側に足場を構築するために、足場の構築や撤去、足場を利用した建築作業は、外側で作業を行うことになるため、天候に左右されることが多くなり、天候を考慮するため、工期の管理上の不都合がある。
【０００５】
そこで、建物の周囲に外部足場を設置しなくとも軒先作業をより安全に行うことができる技術が提案されている（特許文献１）。
また、戸建て住宅等の小規模な建物に仮設足場を設ける技術も知られている（特許文献２）。
【先行技術文献】
【特許文献】
【０００６】
【特許文献１】特開２０１１−７０１２号公報
【特許文献２】特開２０１２−７７５４４号公報
【発明の概要】
【発明が解決しようとする課題】
【０００７】
特許文献１の技術は、外部足場を用いないで、作業が行えるすぐれた技術であるが、軒先ユニットに関するものであり、建物の胴差取付・オルト接合・階間水切設備・水平目地防水処理などが行える技術ではない。
特許文献２の技術は、室内に設けられる仮設足場であるが、鉄骨造の軸組みによって構成されるもので、鉄骨造建物内部の床開口部に用いられる技術であり、通常の外部足場と同様な作業を行えるものではない。
【０００８】
一般に、室内作業床といえども、外部足場と同様に、建築工事として想定した工事に対して作業性や安全性が確保されていることが必要である。例えば、水平方向に連続作業が可能であり、使用荷重に対して破壊荷重が所定の安全率を確保しており、部品が人力で組み立て分解可能であり、設置解体が短時間でできるものであり、作業床そのものを人力で組み立て解体ができる必要があり、コストを削減できることなどである。
【０００９】
以上のように、外部に足場を構築したのと同様の作業である胴差取付・オルト接合・階間水切設備・水平目地防水処理などを行うことが可能で、また外部に足場を構築しないことにより生じる各種作業が行える室内作業床が望まれていた。
【００１０】
本発明の目的は、上記課題を解決するためになされたもので、外部足場と同様な作業が行え、且つ室内作業床のために生じる各種作業を行える室内作業床及びその構築方法を提供することにある。
本発明の他の目的は、特殊な工具を使用することなく、人力で組み立て分解可能であり、設置解体が短時間でできる室内作業床及びその構築方法を提供することにある。
【課題を解決するための手段】
【００１１】
前記課題は、請求項１に係る発明によれば、壁面の一部を構成する中空柱内に突起部が形成された建築途中の建物の室内側に設けられる室内作業床であって、前記室内作業床は、前記室内側の壁面に取り付けられる支持部材と、該支持部材に支持された作業者用の床部とを備え、前記支持部材は、一方側に設けられた前記中空柱内の突起部との係合部と、該係合部から反対側に所定幅で延出した支持部と、を備え、前記支持部材の係合部は前記中空柱内に形成された突起部に係合し、前記支持部材の支持部で前記床部を支持してなること、により解決される。
【００１２】
このように壁面の一部を構成する中空柱内の突起部と、支持部材の係合部とを係合させたので、床部を支持する支持部材の取付のために、中空柱内の突起を利用しているので、配置位置の特定が明確で、壁側に支持部材を取り付けるための係合部等が露見せず、特別な取付治具なしで、支持部材を取り付けることが可能となる。
【００１３】
このとき、前記突起部は、前記壁面を構成する壁面パネルと前記中空柱を連結するボルト又はナットであると好適である。このように構成すると、壁面を構成する中空柱と壁面パネルの連結用のボルト又はナットをそのまま利用することができ、中空柱内に突起部を特別に構成する必要がない。
【００１４】
また、前記室内作業床は、入隅部、出隅部、直線部の少なくとも一つ以上を有して構成されていると好適である。このように、記室内作業床は直線部だけでなく、入隅部、出隅部などの一部を含んだ状態で構築することが可能となり、部分的に室内作業床を構築することが可能となる。
【００１５】
また、前記室内作業床は、入隅部、出隅部、直線部に亘って設けられていると好適である。このように構成すると、室内側の内周に室内作業床を構築することができ、外部作業床と同等の作業を、室内作業床を用いて行うことが可能となる。
【００１６】
さらに、前記室内作業床には、手摺と、昇降手段（昇降梯子）との少なくとも一つが設けられていると好適である。このように構成すると、手摺によって室内作業床からの脱落を防止でき、また昇降手段によって、建物の室内の床面から室内作業床まで上り下りが可能となる。
【００１７】
前記課題は、本発明の室内作業床の構築方法によれば、中空柱としての外部柱建込み工程と、該外部柱建込み工程で建込まれた中空柱間に壁面としての外壁パネルを建込む外壁パネル建込み工程と、前記中空柱内の突起部に支持部材を係合させて設置する支持部材設置工程と、前記支持部材上に床部を設置する床部設置工程と、前記床部設置工程の後で、壁面と反対側の床部に手摺支柱を立設し、手摺支柱間に手摺を架設する手摺支柱・手摺設置工程と、を備えたことにより解決される。
【００１８】
より詳しくは、前記中空柱内の突起部に支持部材を係合させて設置する支持部材設置工程は、入隅部、出隅部、直線部に支持部材を設置する工程であり、前記支持部材上に床部を設置する床部設置工程は、入隅部、出隅部、直線部の床部を設置する工程である。
【００１９】
また、更に室内作業床まで昇降するための昇降手段（昇降梯子）を設置する昇降手段設置工程とを有するようにできる。
【００２０】
さらに、前記手摺支柱・手摺設置工程の後で、胴差・床梁〜２階床パネルまでの施工工程を行って、その後、室内作業床解体・集積・荷揚げ工程を行うように構成することができる。
【００２１】
そして、より詳しくは、前記外部柱建込み工程は、１階外部柱建込み工程又は２階外部柱建込み工程であり、前記外壁パネル建込み工程は、１階外壁パネル建込み工程又は２階外壁パネル建込み工程である。
【００２２】
さらにまた、昇降設備設置工程の後で、軒桁・小屋組から屋根パネルまでの施工工程を行って、その後、室内作業床解体・荷下ろし工程を行うように構成する。このように構成されているので、本発明に係る室内作業床を構築することが可能となる。
【発明の効果】
【００２３】
本発明の請求項１の発明によれば、配置位置の特定が明確で、壁側に支持部材を取り付けるための係合部等が露見せず、特別な取付治具なしで、支持部材を取り付けることが可能となる。
請求項２の発明によれば、壁面を構成する中空柱と壁面パネルの連結用のボルト又はナットをそのまま利用することができ、中空柱内に突起部を特別に構成する必要がない。
請求項３の発明によれば、入隅部、出隅部などの一部を含んだ状態で構築することが可能となり、部分的に室内作業床を構築することが可能となる。
請求項４の発明によれば、室内側の内周に室内作業床を構築することができ、外部作業床と同等の作業を、室内作業床を用いて行うことが可能となる。
請求項５の発明によれば、手摺によって室内作業床からの脱落を防止でき、また昇降手段によって、建物の室内の床面から室内作業床まで上り下りが可能となる。
請求項６乃至１１の発明によれば、本発明に係る室内作業床を構築することが可能となる。
【図面の簡単な説明】
【００２４】
【図１Ａ】室内作業床の部分説明図である。
【図１Ｂ】１階及び２階の室内作業床の部分断面の説明図である。
【図２Ａ】入隅用の支持部材の説明図である。
【図２Ｂ】入隅用の支持部材の説明図である。
【図２Ｃ】入隅用の支持部材の説明図である。
【図２Ｄ】入隅用の床部の説明図である。
【図３】入隅部の支持部材及び床部の取付けを説明する斜視図である。
【図４Ａ】入隅部の支持部材の取付けの説明図である。
【図４Ｂ】入隅部の支持部材の取付けの説明図である。
【図４Ｃ】入隅部の支持部材及び床部の取付けの説明図である。
【図５Ａ】出隅用の支持部材の説明図である。
【図５Ｂ】出隅用の支持部材の説明図である。
【図５Ｃ】出隅用の支持部材の説明図である。
【図５Ｄ】出隅部の床部の説明図である。
【図６】出隅部の支持部材及び床部の取付けの斜視図である。
【図７Ａ】出隅部の支持部材の取付けの説明図である。
【図７Ｂ】出隅部の支持部材の取付けの説明図である。
【図７Ｃ】出隅部の支持部材を取付けた状態の説明図である。
【図７Ｄ】出隅部の支持部材及び床部の取付けの説明図である。
【図８】直線部の支持部材の説明図である。
【図９】直線部の支持部材に床部を組み付けるときの斜視図である。
【図１０】直線部の支持部材に床部を取付けたときの部分断面説明図である。
【図１１Ａ】直線部の支持部材の取付けの説明図である。
【図１１Ｂ】直線部の支持部材の取付けの説明図である。
【図１１Ｃ】直線部の支持部材の取付けの説明図である。
【図１１Ｄ】直線部の支持部材及び床部の取付けの要部断面説明図である。
【図１２Ａ】直線部の床部の上面からの説明図である。
【図１２Ｂ】直線部の床部の側面からの説明図である。
【図１２Ｃ】直線部の床部の裏面からの説明図である。
【図１２Ｄ】直線部の床部の断面の説明図である。
【図１３】直線用の支持部材に手摺支柱及び手摺を取り付けた状態の説明図である。
【図１４Ａ】直線用手摺支柱の正面からの説明図である。
【図１４Ｂ】直線用手摺支柱の側面からの説明図である。
【図１４Ｃ】直線用手摺支柱の底面からの説明図である。
【図１５Ａ】入隅部用手摺支柱の説明図である。
【図１５Ｂ】出隅部用手摺支柱の説明図である。
【図１６Ａ】伸長したときの手摺の説明図である。
【図１６Ｂ】短くしたときの手摺の説明図である。
【図１７】昇降手段としての梯子の配置を示す模式図である。
【図１８】取付部材を１階用と２階用に調節するときの説明図である。
【図１９】室内作業床構築の工程図である。
【発明を実施するための形態】
【００２５】
以下、本発明の一実施形態について、図面を参照して説明する。なお、以下に説明する部材、配置等は、本発明を限定するものではなく、本発明の趣旨に沿って各種改変することができることは勿論である。
図１乃至図１９は本発明に係る実施形態を示すもので、図１Ａは室内作業床の部分説明図、図１Ｂは１階及び２階の室内作業床の部分断面の説明図、図２Ａは入隅用の支持部材の説明図、図２Ｂは入隅用の支持部材の説明図、図２Ｃは入隅用の支持部材の説明図、図２Ｄは入隅用の床部の説明図、図３は入隅部の支持部材及び床部の取付けを説明する斜視図、図４Ａは入隅部の支持部材の取付けの説明図、図４Ｂは入隅部の支持部材の取付けの説明図、図４Ｃは入隅部の支持部材及び床部の取付けの説明図、図５Ａは出隅用の支持部材の説明図、図５Ｂは出隅用の支持部材の説明図、図５Ｃは出隅用の支持部材の説明図、図５Ｄは隅部の床部の説明図、図６は出隅部の支持部材及び床部の取付けの斜視図、図７Ａは出隅部の支持部材の取付けの説明図、図７Ｂは出隅部の支持部材の取付けの説明図、図７Ｃは出隅部の支持部材を取付けた状態の説明図、図７Ｄは出隅部の支持部材及び床部の取付けの説明図、図８は直線部の支持部材の説明図、図９は直線部の支持部材に床部を組み付けるときの斜視図、図１０は直線部の支持部材に床部を取付けたときの部分断面説明図、図１１Ａは直線部の支持部材の取付けの説明図、図１１Ｂは直線部の支持部材の取付けの説明図、図１１Ｃは直線部の支持部材の取付けの説明図、図１１Ｄは直線部の支持部材及び床部の取付けの要部断面説明図、図１２Ａは直線部の床部の上面からの説明図、図１２Ｂは直線部の床部の側面からの説明図、図１２Ｃは直線部の床部の裏面からの説明図、図１２Ｄは直線部の床部の断面の説明図、図１３は直線用の支持部材に手摺支柱及び手摺を取り付けた状態の説明図、図１４Ａは直線用手摺支柱の正面からの説明図、図１４Ｂは直線用手摺支柱の側面からの説明図、図１４Ｃは直線用手摺支柱の底面からの説明図、図１５Ａは入隅部用手摺支柱の説明図、図１５Ｂは出隅部用手摺支柱の説明図、図１６Ａは伸長したときの手摺の説明図、図１６Ｂは短くしたときの手摺の説明図、図１７は昇降手段としての梯子の配置を示す模式図、図１８は取付部材を１階用と２階用に調節したときの説明図、図１９は室内作業床構築の工程図である。
【００２６】
本発明の室内作業床Ｓは、１階（又は２階）の外壁が構築された状態で、この外壁を構築するときの外部柱Ｈ（入隅用の外部柱Ｈ１，出隅用の外部柱Ｈ２，直線用の外部柱Ｈ３）を利用することによって構築されるものである。外部柱Ｈは、入隅用の外部柱Ｈ１，出隅用の外部柱Ｈ２，直線用の外部柱Ｈ３でそれぞれ異なるが、中空の矩形体から構成され、内側に開口スリットＬが形成されているものである。そして、この外部柱Ｈと外部柱Ｈの間に、外壁パネルＰがボルトＢによって連結されて外壁が構築される。
【００２７】
例えば、予めプランで設定された所定位置に外部柱Ｈ（入隅用の外部柱Ｈ１，出隅用の外部柱Ｈ２，直線用の外部柱Ｈ３）を建込む。そして、外部柱Ｈ（入隅用の外部柱Ｈ１，出隅用の外部柱Ｈ２，直線用の外部柱Ｈ３）の間に１階外壁パネルＰを建込み、外壁が形成される。このとき、１階外壁パネルＰの建込みは、外部柱Ｈ（入隅用の外部柱Ｈ１，出隅用の外部柱Ｈ２，直線用の外部柱Ｈ３）と外壁パネルＰを接合するが、外部柱Ｈ（入隅用の外部柱Ｈ１，出隅用の外部柱Ｈ２，直線用の外部柱Ｈ３）の下端からの所定距離の位置で、外部柱Ｈと外壁パネルＰとがボルトＢによって締め付け完了している（つまり、設置する外部柱Ｈ両側の外壁パネルＰとボルトＢによる締め付け完了している）。
【００２８】
本発明に係る室内作業床Ｓは、図１Ａで示すように、入隅部１０と出隅部２０と直線部３０を備えている。そして、室内作業床Ｓは、図１Ｂで示すように、胴差・床梁から２階床パネルまでの施工を行うときに利用するものであり、具体的には、軒桁天端、床材天端、胴差天端、土間コン天端などの作業を行うときに利用するものである。なお、室内作業床Ｓの床材天端〜外壁上端は、１階の場合と２階の場合とでは、異なる高さとしている。
【００２９】
本実施形態の室内作業床Ｓは、少なくとも３つの支持部材である入隅用ブラケット１１、出隅用ブラケット２１、直線用ブラケット３１と、床部（床材）１２，２２，３２と、直線用の手摺支柱３８と隅角用の手摺支柱１８，２８と、手摺４０と、昇降手段としての昇降梯子５０と、を有している。なお軒先施工時における補助具としてのタラップを用いるようにしてもよい。本実施形態における入隅用ブラケット１１、出隅用ブラケット２１、直線用ブラケット３１、直線用の手摺支柱３８、隅角用の手摺支柱１８，２８は、それぞれ角形鋼管で構成し、これらを構成する部品等は接続部を溶接接合して形成されている。
【００３０】
［入隅部の構成］
本実施形態の入隅部１０の支持部材としての入隅用ブラケット１１は、図２Ａ乃至２Ｄ及び図３で示すように、支持部１３と、上部係合片１４，下部係合片１５，係合支持片１６（１６ａ，１６ｂ）から構成される係合部と、から構成されている。支持部１３は、床部１２を支持するもので、第１支持片１３ａと第２支持片１３ｂが所定位置で直交し、更に第３支持片１３ｃが係合支持片１６側の近接位置で直交するように形成されている。
【００３１】
そして、支持部１３の補強のために、第４支持片１３ｅが、後述する手摺ブラケット部１７から下部係合支持片１６ｂに向けて広がるように斜めに形成され、これら第１支持片１３ａ及び第４支持片１３ｅは下部係合支持片１６ｂと連結されている。また、第１支持片１３ａと第４支持片１４ｅとは補強部材１３ｆにより連結されている。第１支持片１３ａ及び第２支持片１３ｂには、床部１２と係合する係合突起１３ｄが上方に向けて突起して、４か所に形成されている。
【００３２】
第１支持片１３ａ及び第４支持片１３ｅの一端部側には、符号１４乃至１６で示される係合部が形成され、他端部側には、手摺支柱１８を支持する手摺ブラケット部１７が形成されている。手摺ブラケット部１７は、図２及び図３で示すように中空角柱の本体部１７ａと、連結部１７ｂと、調節穴１７ｃとから構成されている。本体部１７ａには後述する手摺支柱１８が係合するもので、調節穴１７ｃは手摺支柱１８との間で高さ調節及びガタつかないように係合し、不図示のピン等によって手摺支柱と係合できるように構成されている。また手摺ブラケット部１７の連結部１７ｂは板体から構成され、溶接等によって第１支持片１３ａ及び第４支持片１３ｅと結合されている。
【００３３】
上部係合片１４は、壁面の一部を構成する中空の外部柱Ｈ１内に突起部としてのボルトＢと係合するための部材であり、下部係合片１５は、壁面の一部を構成する外部柱（入隅柱）Ｈ１内と当接するように構成されている。このため本実施形態の上部係合片１４及び下部係合片１５の自由端は、第１支持片１３ａが概略水平になったときに、概略垂直線上に位置するように構成されている。
【００３４】
上部係合片１４及び下部係合片１５は、上部係合支持片１６ａと下部係合支持片１６ｂとにそれぞれ結合されている。つまり、上部係合片１４及び下部係合片１５は、所定間隔で上部係合支持片１６ａと下部係合支持片１６ｂに支えられる。また同時に上部係合支持片１６ａと下部係合支持片１６ｂは上下方向に調節可能に形成されている。
【００３５】
本実施形態の上部係合片１４は、図２Ａ乃至図２Ｃ及び図３で示すように、断面コ字状をした２つの係合片１４ａ，１４ｂが所定間隔Ｘを開けて設けられている。この上部係合片１４（１４ａ，１４ｂ）は、コ字状の中央部を上部係合支持片１６ａに固着した固着部１４ｃと、この固着部１４ｃと反対側にボルトＢと係合する係合端部１４ｄがコ字状の上側に形成されている。
【００３６】
下部係合片１５は、図２Ａ乃至図２Ｃ及び図３で示すように、板体から構成されており、上部係合片１４を構成する上部係合片１４ａ及び１４ｂの上面側と同じ外形及び所定間隔Ｘを開けた形状をしている。この下部係合片１５は、上部係合片１４と共に、入隅部の外部柱Ｈ１内に位置して、外部柱Ｈ１に突き当てられる。
【００３７】
本実施形態の係合部を構成する上部係合支持片１６ａは、上部係合片１４の固着部１４ｃを含んで下方に延長部１６ａ１が形成され、この延長部１６ａ１にはレベル調節用の穴１６ａ２が形成されている。また下部係合支持片１６ｂは下部係合片１５の固着部１５ｃを含んで、上方に延長部１６ｂ１が形成され、この延長部１６ｂ１には上部係合支持片１６ａに形成された穴１６ａ２と整合するようにレベル調節用の穴１６ｂ２が形成されている。これらレベル調節用の穴１６ａ２、１６ｂ２を整合させて、ボルトナット１６ｃによって、上部係合支持片１６ａと下部係合支持片１６ｂでレベル調節ができるように構成されている。
【００３８】
床部１２は、図２Ｄ及び図３で示すように、上面１２ａと側面１２ｂ，１２ｃ，１２ｄ，１２ｅ，１２ｆを有する箱状体から構成されており、箱状体のうち一つの側面部１２ｆは角部が斜めに形成された斜面部となっている。そして各側面１２ｂ，１２ｃ，１２ｄ，１２ｅ，１２ｆには、底面側に折り返した折り返し部１２ｂ１，１２ｃ１，１２ｄ１，１２ｅ１，１２ｆ１が形成されている。
【００３９】
また、斜面部となっている側面１２ｆに隣接する側面１２ｂ，１２ｃには、外方向に水平に延出した庇部１２ｇが形成されている。本実施形態の庇部１２ｇには、所定間隔をおいて上方に突起した係合突起１２ｈが２か所ずつ形成されており、この係合突起１２ｈが後述する直線状の床部と係合するように構成されている。また、箱状体の床部１２の内側には、支持部１３の第１支持片１３ａと第２支持片１３ｂに形成された係合突起１３ｄと係合できるように、穴が形成された嵌合部材１２ｉが形成されており、これら係合突起１３ｄと嵌合部材１２ｉの穴とが嵌合するように形成されている。
【００４０】
［出隅部の構成］
本実施形態の出隅部２０の支持部材としての出隅用ブラケット２１は、図５Ａ乃至図５Ｃ及び図６で示すように、支持部２３と、係合片２４，第１係合支持片２５，第２係合支持片２６から構成される係合部と、から構成されている。支持部２３は、床部２２を支持するもので、第１支持片２３ａと第２支持片２３ｂが所定位置で直交するように形成されている。
【００４１】
そして、支持部２３の補強のために、第３支持片２３ｅが、第２係合支持片２６に向けて広がるように斜めに形成され、これら第１支持片２３ａ及び第３支持片２３ｅは第２係合支持片２６と連結されている。また、第１支持片２３ａと第３支持片２４ｅとは補強部材２３ｆにより連結されている。第１支持片２３ａ及び第２支持片２３ｂには、床部２２と係合する係合突起２３ｄが上方に向けて突起して、４か所に形成されている。
【００４２】
第１支持片２３ａの一端部及び第３支持片２３ｅの一端部側には、符号２４乃至２６で示す係合部が形成され、他端部側には、手摺支柱２８を支持する手摺ブラケット部２７が形成されている。手摺ブラケット部２７は、図５Ａ乃至図５Ｃ及び図６で示すように中空角柱の本体部２７ａと、連結部２７ｂと、調節穴２７ｃとから構成されている。本体部２７ａには後述する手摺支柱２８が係合するもので、調節穴２７ｃは手摺支柱２８との間で高さ調節及びガタつかないように係合し、不図示のピン等によって手摺支柱２８と係合できるように構成されている。また手摺ブラケット２７の連結部２７ｂは板体から構成され、溶接等によって第１支持片２３ａ及び第３支持片２３ｅと結合されている。
【００４３】
係合片２４は、上部係合片２４ａと下部係合片２４ｂとから構成され、上部係合片２４ａは、壁面の一部を構成する外部柱（出隅柱）Ｈ２内に突起部としてのボルトＢと係合するための部材であり、下部係合片２４ｂは、壁面の一部を構成する外部柱Ｈ２内と当接するように構成されている。また本実施形態の下部係合片２４ｂの自由端と、第３支持片２３ｅの自由端は、第１支持片２３ａが概略水平になったときに、概略垂直線上に位置するように構成されている。なお、本実施形態では下部係合片２４ｂと、第３支持片２３ｅとは同じ幅で形成されている。
【００４４】
上部係合片２４ａと下部係合片２４ｂは、次述する第１係合支持片２５の支持プレート２５ａと一体となった支持プレート２５ｂを介して第１係合支持片２５と連結されている。上部係合片２４ａは上面２４ａ１、背面２４ａ２、両側面２４ａ３，２４ａ３から構成され、背面２４ａ２が回動軸２５ｄ等により支持プレート２５ｂに回転可能に軸支されるものであり、外部柱Ｈ２内に挿入するときに上部係合片２４ａが外部柱Ｈ２のスリットＬを通るように回転させて差し込みするものである。
外部柱Ｈ２内のボルトＢと係合する両側面２４ａ３，２４ａ３は、係合凹部２４ａ４が外部柱Ｈ２内のボルトＢと係合する位置にあるときに、次述する連結片２５ａの手摺ブラケット部２７側の端部位置Ｋで概略９０°で直交する線上に斜面として形成されており、両側面２４ａ３，２４ａ３の中間位置には、外部柱Ｈ２内に突起部としてのボルトＢと係合する下方に開口した係合凹部２４ａ４が形成されている。
【００４５】
下部係合片２４ｂは、一端部側が背面２４ａ２と溶接等により固着されており、自由端側は壁面の一部を構成する外部柱Ｈ２内と当接するように構成されている。
また第１係合支持片２５は、二枚の板体からなる連結片２５ａ，２５ａと、この連結片２５ａ，２５ａと一体となった支持プレート２５ｂとから構成されている。連結片２５ａ，２５ａは第２係合支持片２６を間に挟む間隔をおいて形成され、本実施形態では２つの連結穴２５ｃがそれぞれに形成されている。
【００４６】
上部係合片２４ａと下部係合片２４ｂは、第１係合支持片２５に固着され、第１係合支持片２５は第２係合支持片２６と上下方向に調節可能に形成されている。つまり、第２係合支持片２６は、第１支持片２３ａの端部側及び第３支持片２３ｅの上面側で連結されており、第１係合支持片２５に形成された穴２５ｃと整合するようにレベル調節用の穴２６ｂが形成されている。これらレベル調節用の穴２５ｃ、２６ｂを整合させて、ボルトナット２６ｃによって、第１係合支持片２５と第２係合支持片２６を連結し、レベル調節ができるように構成されている。
【００４７】
床部２２は、図５Ｄ及び図６で示すように、上面２２ａと側面２２ｂ，２２ｃ，２２ｄ，２２ｅを有する箱状体から構成されている。そして各側面２２ｂ，２２ｃ，２２ｄ，２２ｅには、底面側に折り返した折り返し部２２ｂ１，２２ｃ１，２２ｄ１，２２ｅ１が形成されている。
【００４８】
床部２２の側面２２ｂ，２２ｃには、外方向に水平に延出した庇部２２ｇが形成されている。本実施形態の庇部２２ｇには、所定間隔をおいて上方に突起した係合突起２２ｈが２か所ずつ形成されており、この係合突起１２ｈが後述する直線用の床部３２と係合するように構成されている。また、箱状体の床部２２の内側には、支持部２３の第１支持片２３ａと第２支持片２３ｂに形成された係合突起２３ｄと係合できるように、穴が形成された嵌合部材２２ｉが形成されており、これら係合突起２３ｄと嵌合部材２２ｉの穴とが嵌合するように形成されている。
【００４９】
［直線部の構成］
本実施形態の直線部３０の支持部材としての直線用ブラケット３１は、図８乃至図１０で示すように、支持部３３と、係合片３４及び係合支持片３５から構成される係合部と、から構成されている。支持部３３は、床部３２（図９参照）を支持するもので、第１支持片３３ａと、この第１支持片３３ａの補強のために、第２支持片３３ｂが、係合支持片３５に向けて広がるように斜めに形成され、これら第１支持片３３ａ及び第２支持片３３ｂは係合支持片３５と連結されている。そして、第２支持片３３ｂは、壁面の一部を構成する外部柱Ｈ３内と当接するように構成されている。
第１支持片３３ａの両側には、図９で示すように、床部３２と係合する係合突起３３ｈが上方に向けて突起して、４か所に形成されている。
【００５０】
第１支持片３３ａの一端部及び第２支持片３３ｂの一端部側には、符号３４及び３５で示す係合部が形成され、他端部側には、手摺支柱３８を支持する手摺ブラケット部３７が形成されている。手摺ブラケット部３７は、図８及び図９で示すように、本体部３７ａと、調節穴３７ｂとから構成されている。本体部３７ａには後述する手摺支柱３８が係合するもので、調節穴３７ｂは手摺支柱３８との間で高さ調節及びガタつかないように係合し、ピン３７ｃ等によって手摺支柱３８と係合できるように構成されている。また手摺ブラケット部３７は、溶接等によって第１支持片３３ａ及び第２支持片３３ｂと結合されている。
【００５１】
係合片３４は、逆Ｌ字状の形状をした二枚の板体から形成されており、上部係合片部３４ａと下部係合支持片部３４ｂとから構成されている。上部係合片部３４ａの自由端側には、ボルト受け部分としての断面逆Ｌ字状の係合片３４ｃが一体に形成され、二枚の板体からなる上部係合片部３４ａのそれぞれの係合片３４ｃの内側が、壁面の一部を構成する外部柱Ｈ３内に突起部としてのボルトＢと係合する。
また二枚の板体からなる下部係合支持片部３４ｂは、係合支持片３５を間に挟む間隔をおいて形成され、本実施形態では２つの連結穴３４ｄがそれぞれに形成されている。
【００５２】
一方、係合支持片３５には、レベル調節用の穴３５ｃが形成され、下部係合支持片部３４ｂに形成された連結穴３４ｄと穴３５ｃとが整合するように形成されている。これらレベル調節用の穴３４ｄ、３５ｃを整合させて、ボルトナット３６によって、係合支持片３５と下部係合支持片３４ｂを連結し、レベル調節ができるように構成されている。
なお、本実施形態の係合片３４ｃの端部と、第２支持片３３ｂの自由端は、第１支持片３３ａが概略水平になったときに、概略垂直線上に位置するように構成されている。
【００５３】
床部３２は、図１２Ａ乃至図１２Ｄで示すように、断面ロ字状をしたアルミ製の押出品からなる長尺体３２ａである。
本実施形態では、長尺体３２ａの上面側の表面には、滑り止めのため長手方向に凹凸の線状体３２ａ１が複数形成され、一方側の側面上部と側面下部に内側に向けた内側長尺リブ３２ｂ，３２ｂが形成され、他方側の側面上部と側面下部に外側に向けた外側長尺リブ３２ｃ，３２ｃが形成され、これら内側長尺リブ３２ｂ，３２ｂと外側長尺リブ３２ｃ，３２ｃとをスライドして隣接する長尺体３２ａ，３２ａを嵌合できるように構成されている。本実施形態では３本の長尺体３２ａを連結して形成されている。
なお本実施形態では、各隣接する長尺体３２ａをスライドして嵌合するが、図１２Ｃで示すように、連結穴３２ｄを備えた連結部材３２ｅを用いて、長尺体３２ａと前述した直線用の支持ブラケット３１の突起部３３ｈと嵌合するように構成している。
【００５４】
このように長尺体３２ａを並べて嵌合することで、例えば長尺体３２ａの幅を１００ｍｍとすると、床幅を１００ｍｍ単位で設定することができる。そして、内側長尺リブ３２ｂ，３２ｂと外側長尺リブ３２ｃ，３２ｃで嵌合しているので、溶接等で一定間隔で押出材同士を固定するのと異なり、所定幅の床部３２を形成することが可能となる。また、長尺体３２ａを任意の数で嵌合することができるので、所定幅の長尺体でモジュール化することが可能となる。
【００５５】
そして、床部３２の長尺体３２ａの端部には連結穴３２ｄを備えた端部ブラケット３２ｆが配設され、また長尺体３２ａの裏面の所定位置には連結穴３２ｄを備えた連結部材３２ｅが形成されている。これらの連結穴３２ｄと、直線用ブラケット３１の係合突起３３ｈとが嵌合するように構成されている。このとき、支持ブラケット３１の係合突起３３ｈに差し込む連結穴３２ｄを若干大きくすることで、施工性を良好にすることが可能となる。
なお上記入隅部、出隅部、直線部を構成する支持部材（各ブラケット）の調節は、同じレベルで高さの上下調節ができるように、各穴の間隔が一致するように構成されている。
【００５６】
［手摺支柱の構成］
図１３は、直線用ブラケット３１の支持部材３３に直線用の手摺支柱３８及び手摺４０を取り付けた状態の説明図であり、図１４Ａ乃至１４Ｃは直線用の手摺支柱３８の説明図である。直線用の手摺支柱３８は、図１４Ａ乃至１４Ｃで示すように、断面矩形の中空鋼管から形成されており、下部取付部３８ａと、この下部取付部３８ａと連結された上部取付部３８ｂとから構成されている。
【００５７】
下部取付部３８ａは、中間部３８ｂ１の略中央部から上部取付部３８ｂとは反対側の下方に延出して所定の長さを有して形成され、直線用の支持部材３３の手摺ブラケット部３７内に挿着されて取り付けられる。一方、上部取付部３８ｂは、コ字状をして中間部３８ｂ１と、この中間部３８ｂ１から二股に分かれた二股部３８ｂ２から構成され、二股部３８ｂ２の自由端側には、グラビティロック３９ａが形成されている。
また、下部取付部３８ａ及び上部取付部３８ｂには側方で同じ方向に延出した手摺係合突起であるグラビティロック３９ｂが形成されている。本実施形態のグラビティロック３９ａ及び３９ｂは、ばね機構によって常時は突出している。下部取付部３８ａは手摺ブラケット部３７に挿入されて押されることによって収納されるように構成されている。またばね機構と連動した回転つまみによって回動することによって、ばね機構が縮み、グラビティロック３９ａ及び３９ｂは離脱させることができるように構成されている。
手摺支柱３８に取り付けられたグラビティロック３９ｂは、後述する中空パイプからなる手摺４０の端部の嵌合穴４３に挿入されて押されることによって収納されるように構成されている。またばね機構と連動した回転つまみによって回動することによって、ばね機構が縮み、手摺支柱３８から手摺４０を離脱させることができるように構成されている。
【００５８】
また隅部（入隅及び出隅）に用いられる入隅用の手摺支柱１８及び出隅用の手摺支柱２８は、同一構成からなるもので、図１５Ａ及び図１５Ｂで示すように、上記直線用の手摺支柱３８と同様に、断面矩形の中空鋼管から形成されており、直線状の本体部１８ａ，２８ａと、グラビティロック３９ａ、３９ｂとを備えている。この入隅用の手摺支柱１８及び出隅用の手摺支柱２８は、一端部側に手摺ブラケット部１７，２７と嵌合し、他端側には上述のグラビティロック３９ａと同じものが配設されている。また本体部１８ａ，２８ａには、所定の高さ位置にグラビティロック３９ｂが本体部１８ａ，２８ａの隣接する面（９０°の角度位置の面）に設けられている。なお、直線用、隅部用の手摺支柱３８，１８，２８に形成される手摺４０のためのグラビティロック３９ｂの位置は、同じ高さ位置になるように構成されている。
【００５９】
［手摺の構成］
手摺４０は、図１６で示すように、中央部を形成する中空円筒状の外筒部４１と、ロック機構４４と、外筒部４１に収納可能な２つの中空円筒状の内筒部４２と、を主要構成要素としている。外筒部４１には、この外筒部４１の両端に形成されたロック機構４４は一方側に回転させることにより、径が狭くなり、内筒部４２を締め付けて、外筒部４１と内筒部４２が固定されるようになっている。また他方側に回転させると、径が広くなり外筒部４１と内筒部４２とが摺動可能になっている。そして、内筒部４２の端部の開口に、前記した手摺支柱１８，２８のグラビティロック３９ｂが差し込まれる嵌合するように構成されている。なお図１７は昇降手段としての昇降梯子５０及び昇降手段としての昇降梯子際の手摺支柱６０であるが、これらは公知の技術を用いることが可能である。
【００６０】
［室内作業床の構築］
次に、上記構成からなる室内作用床の構築方法について図１９のフロー図，図４Ａ乃至図４Ｃ、図７Ａ乃至図７Ｄ、図１１Ａ乃至図１１Ｄ、図１７等に基づいて説明する。本実施形態では２階建ての例を示すもので、１階作業は工程Ｓ１〜工程Ｓ８であり、このうち室内作業床の構築工程は、工程Ｓ３〜Ｓ６である。一般に、戸建て建築では、土台工事や基礎工事が行われており、これらの工事が完了した後で、外部柱を建込む。また、２階作業は工程Ｓ１０〜Ｓ１４であり、このうち室内作業床の構築工程は、工程Ｓ１０〜工程Ｓ１２である。
【００６１】
先ず、１階外部柱建込み工程Ｓ１が行われる。この１階外部柱建込み工程Ｓ１では、予めプランで設定された外部柱の位置に外部柱Ｈ（Ｈ１，Ｈ２，Ｈ３・・・）を建込むものである。この外部柱Ｈの間に１階外壁パネル建込み工程Ｓ２により、外壁パネルＰが取り付けられる。
【００６２】
この１階外壁パネル建込み工程Ｓ２では、外部柱Ｈと外壁パネルＰを接合するが、外部柱Ｈの下端から所定の距離位置で、ボルトＢによって締め付け完了している（つまり、設置する外部柱Ｈ両側の外壁パネルＰと締め付け完了している）。また、前述した入隅用ブラケット１１、出隅用ブラケット２１、直線用ブラケット３１の間の高さ方向のレベル調節が行われるようになっている。これらのレベル調節は、作業する階に合わせて調節を行う。例えば、後述する２階に設置する場合には、初期設定が１階仕様であるので、２階に合わせて調節しておく必要がある。
【００６３】
ブラケット設置工程Ｓ３は、前述した構成からなる入隅用ブラケット１１、出隅用ブラケット２１、直線用ブラケット３１をそれぞれ外部柱Ｈへ取り付ける工程である。ブラケットの外部柱Ｈへの取付けは、入隅用ブラケット１１、出隅用ブラケット２１、直線用ブラケット３１では、支持方法が異なるが、各ブラケット１１，２１，３１は外部柱Ｈと外壁パネルＰを接合するボルトＢで、外部柱Ｈ下端〜１７５０ｍｍの位置で支持されている。このため、前提として、外部柱Ｈと外壁パネルＰの接合で、外部柱下端からの距離のボルトＢによる取付け完了していることが必要である。つまり、設置する外部柱Ｈ両側の外壁パネルＰと締め付け完了している。次に、入隅用ブラケット１１、出隅用ブラケット２１、直線用ブラケット３１の各ブラケットのレベル調節を確認し、設置する階に合わせて調整しておく。
【００６４】
入隅用ブラケット１１、出隅用ブラケット２１、直線用ブラケット３１を外部柱Ｈに固定する順番は、特に限定されないが、本説明では、直線用ブラケット３１、出隅用ブラケット２１、入隅用ブラケット１１の順で説明する。
直線用ブラケット３１を取り付けるには、直線部３０の支持部材３１の取付けの説明図である図１１Ａ乃至図１１Ｄに示すように、外部柱Ｈ３が設置された位置に取り付けられる。なお後述する床部３２の割付は、外部柱Ｈの設置位置によって異なることになる。
直線用ブラケット３１の端部を、図１１Ａで示すように、平面の壁面を構成する外部柱Ｈ３のスリットＬから内部に挿入し、直線用ブラケット３１を回転してボルトＢの上部に嵌合させるものである。
【００６５】
つまり、図１１Ａは下部側からの説明図であり、直線用ブラケット３１は外部柱Ｈ３内挿入できるように、スリットＬから係合部３３の上部係合片部３４ａを挿入する。このとき、係合部３３の上部係合片部３４ａは、図１１Ｂで示すように、ボルトＢの上方に位置するが、この状態で、直線用ブラケット３１を図１１Ｂのように捩じるように回転させる。そして直線用ブラケット３１を回転させた後で、図１１Ｃのようにして、下方に下げ、さらに図１１Ｄで示すように、突起部としてのボルトＢに、ボルトＢの受け部分としての係合片３４ｃを引っ掛ける。
【００６６】
図１１Ａの状態のように、外部柱Ｈ３のスリットＬから係合片３４を挿入して、係合片３４のうち上部係合片部３４ａの自由端側の係合片３４ｃを外部柱Ｈ３内に位置させた状態で、図１１Ｂで示すように回転させる。このとき、第２支持片３３ｂの自由端側を壁面側から離間するようにして直線用ブラケット３１を回転させ、第２支持片３３ｂが外部柱Ｈ３のスリットＬに位置できるところで回転を止め、第２支持片３３ｂを外注柱Ｈ３のスリットＬ内へ位置させて、図１１Ｄで示すようにして取り付けられるものである。
【００６７】
出隅ブラケット２１を取り付けるには、出隅部２０の支持部材２１の取付けの説明図である図７Ａ乃至図７Ｄで示すように、出隅部２０を構成する出隅の外部柱Ｈ２内にボルト受け部分である係合片２４を差し込み、外部柱Ｈ２内で回転させ、ボルトＢに引っ掛ける。つまり、上部係合片２４ａを回転させて、直線状にして、図７Ａの状態のように、外部柱Ｈ２のスリットＬから係合片２４を挿入する。このように、出隅用の外部柱Ｈ２のスリットＬの内部に係合片２４を挿入し、次に、図７Ｂで示すように、出隅ブラケット２１を回転する。このようにすることで、上部係合片２４ａを回転させて、両側面２４ａ３，２４ａ３の係合凹部２４ａ４が、外部柱Ｈ２内のボルトＢと嵌まり込むように、ボルトＢの上部から降ろして、嵌合させ、図７Ｃで示すように取付ける。そして図７Ｄで示すように、出隅部２０に出隅ブラケット２１を取付けて、この出隅ブラケット２１上に床部２２を載置する。
【００６８】
入隅用ブラケット１１を取り付けるには、図４Ａ乃至図４Ｃで示すように、入隅部１０を構成する入隅用の外部柱Ｈ１に取り付けられたボルトＢに取り付ける。つまり、図４Ａで示すように、入隅ブラケット１１の端部の上部係合片１４を外部柱Ｈ１のリブ部分Ｌ２に差込む。このとき、差し込む位置は、ボルトＢより上の位置において、ボルトＢの上部と外部柱Ｈ１の隙間に、ブラケット１１端部の上部係合片１４を差し込む。次に、上部係合片１４を下げて、図１４Ｂで示すように、下方にスライドさせて係合端部１４ｄをボルトＢに引っ掛ける。そして、上部係合片１４（１４ａ，１４ｂ）に形成された係合端部１４ｄとボルトＢを嵌合させ、下部係合片１５は外部柱Ｈ１に突き当てられる。
【００６９】
次に、１階における床材設置工程Ｓ４を行う。基本構成としては、外部柱Ｈに設置した各ブラケット１１，２１，３１間に作業員が乗る部分である床部１２，２２，３２を載置して連結する。本実施形態では取付時の重量を小さくし、入隅の外部柱Ｈ１，出隅の外部柱Ｈ２に設置する際の作業性を良くするため入隅ブラケット１１と出隅ブラケット２１と作業員が乗る床部１２，２２に相当する蓋部分を分割している。
このとき、作業性を考慮した床材天端高さ（床材天端〜土間コン天端または２階床パネルまでの距離）が２ｍを超えた場合に、各ブラケット１１，２１，３１に手摺支柱１８，２８，３８を設置して手摺支柱１８，２８，３８間に手摺４０を設置する。
【００７０】
次に床部（ブラケット蓋と称する出隅床部２２及び入隅床部１２）の各ブラケット１１，２１への取付方法について説明する。基本的には、図３及び図６で示すように、各ブラケット１１，２１のピン１３ｄ，２３ｄを、出隅床部２２及び入隅床部１２の穴が形成された嵌合部材１２ｉ，２２ｉに差し込むことにより連結する。
また直線用の床部３２の場合には、端部ブラケット３２ｆの連結穴３２ｄに、係合突起１２ｈ、２２ｈ、３３ｈを差し込み嵌合するようにして連結する。
【００７１】
次に、手摺支柱・手摺設置工程Ｓ５を行う。
先ず入隅部１０の手摺支柱１８の取付けは、手摺支柱１８を手摺ブラケット部１７へ差し込み、嵌め込んで行う。手摺支柱１８を手摺ブラケット部１７へ差し込んだ後で、横からピンを手摺ブラケット部１７と手摺支柱１８の穴に差し込み、手摺ブラケット部１７と手摺支柱１８と固定する。
同様に出隅部２０の手摺支柱２８の取付けは、手摺支柱２８を手摺ブラケット部２７へ差し込み、嵌め込んで行う。また直線部３０の手摺支柱３８の取付けは、手摺ブラケット部２７へ差し込み、嵌め込んで行う。出隅部２０及び直線部３０においても、固定は入隅部１０と同様に横からピンを差し込んで行う。
【００７２】
次に手摺４０の手摺支柱１８，２８，３８への取付方法について説明する。手摺４０を手摺支柱１８，２８，３８の間隔の長さに調整し、手摺４０の端部の穴４３に手摺支柱１８，２８，３８のグラビティロック３９ｂを差し込む。
より詳しくは、手摺４０の長さ調節は、ロック機構４４を回転することで解除して、内筒部４２を外筒部４１から伸縮できる状態にする。そして、手摺支柱１８，２８，３８のグラビティロック３９ｂを手摺４０の端部の穴４３に差し込む。なお、手摺４０と手摺支柱１８，２８，３８の解除は、グラビティロック３９ｂを解除するが、この解除は前述のように回転させて解除する。
【００７３】
次に、昇降梯子設置工程Ｓ６を行う。１階において、昇降梯子５０の直線部３０の床部３２への取付方法について図１７で示す模式図を参照して説明する。本実施形態では昇降設備としての梯子を任意の位置に設置する（図１７では１か所を例にしているが複数でもよい）。
梯子５０は図１７で示すように、アルミニウム等からなる公知のものであり、直線部３０の床部３２に建掛け、不図示のゴムバンド等で床部３２に緊結する。この梯子５０の際（梯子際）で梯子５０の上方位置には、梯子５０を登るときにつかまる手摺支柱５２が設けられる。手摺支柱５２は、床部３２に設けられた手摺ブラケット部５１に、手摺支柱５２を差し込んで取り付けられる。この手摺ブラケット部５１と手摺支柱５２は前述の手摺ブラケット部３７と手摺支柱３８と同様に取り付けられる。
【００７４】
次に、１階作業における胴差・床梁〜２階床パネルまでの施工工程Ｓ７を行う。つまり、施工工程Ｓ７では、軒桁天端の施工、床材天端の施工、胴差天端の施工、土間コン天端の各施工を行う。なお、このとき、室内作業床の床部天端〜外壁上端は、１階の場合と２階の場合とでは、異なる高さとしている。これは、後述するように、支持部材である各ブラケット１１，２１，３１のレベル調整を行う。
【００７５】
次に、１階作業である室内作業床解体・集積・荷揚げ工程Ｓ８を行う。この工程８では、室内作業床解体・集積・２階床の荷揚げを行うものである。つまり、２階床パネルが設置される際、１階において構築した室内作業床を解体して、一旦屋外に搬出する。そして、揚重機で２階床に荷揚げする。このとき、荷揚げする際、パレット等に積み込んで２階へ荷揚げする。
【００７６】
なお、１階で使用した各ブラケットについて、２階の場合、ブラケットのレベル調整を行う。レベル調整は、例えば直線部３０を例にすると、図１８で示すように、係合支持片３５に形成されたレベル調節用の穴３５ｃが４つ形成され、下部係合支持片部３４ｂに形成された連結穴３４ｄが２つ形成され、これらの穴３５ｃのうち上方の部分の２か所と連結穴３４ｄとを合わせて、ボルトナット３６によって、係合支持片３５と下部係合支持片３４ｂを連結したのが２階の場合であり、穴３５ｃのうち下方の部分の２か所と連結穴３４ｄとを合わせて、ボルトナット３６によって、係合支持片３５と下部係合支持片３４ｂを連結したのが１階の場合であり、このようにしてレベル調節を行う。
【００７７】
２階作業は、工程Ｓ９から工程Ｓ１４までであり、このうち２階の室内作業床の構築工程は工程Ｓ１０〜工程Ｓ１２までである。なお、１階で使用した各部材を２階に取り替えて使用することができるため、部材の点数を削減できる。
１階の次の作業は、２階外壁パネル建込み工程Ｓ９である。１階の場合と同様に、２階用の外部柱Ｈを構築し、この外部柱Ｈ間に外壁パネルＰを配置して、外部柱Ｈと外壁パネルＰとをボルトＢによって取付けける。
【００７８】
次に、レベル調整が行われた各ブラケットを設置するブラケット設置工程Ｓ１０を行う。レベル調整は、前述説明したように、１階の床部の高さレベルであるブラケットレベルを１００ｍｍダウンするように構成され、１階と２階で作業床部の高さ調節が変更できるために、１階と２階の使用時の人の横行に支障をきたさないようになっている。
次に、床部設置工程Ｓ１１を行う。そして、この床部設置工程Ｓ１１は、前述した１階での工程と同様である。
昇降設備設置工程Ｓ１２を行う。各ブラケット設置工程Ｓ１０、床部設置工程Ｓ１１、昇降設備設置工程Ｓ１２は、前述した１階における各工程と同じであるので、その詳細は省略する。
【００７９】
以上のように、２階の室内作業床の構築工程である工程Ｓ１０〜工程Ｓ１２が完了した後で、この室内作業床Ｓを利用して、軒桁・小屋組〜屋根パネルまでの施工工程Ｓ１３を行う。
そして、２階の室内作業床解体・荷下ろし工程Ｓ１４を行う。なお、室内作業床は工場出荷とし、使用後工場便で回収する。
【００８０】
次に、本実施形態の室内作業床の構築方法の全体工程に対する組立解体荷揚げ荷下ろしについて、室内作業床の解体と荷揚げ、荷下ろしのタイミングについて説明する。
本実施形態の室内作業床の構築方法において、１階で使用した作業床の解体は２階床パネル設置後に室内作業床を解体し、屋外に荷卸しを行っている。２階への荷揚げは、２階外壁パネル設置前に行っている。２階で使用した作業床の解体は、屋根パネル設置後に行なっている。２階からの荷下ろしは、建方完了後に行なっている。なお、荷揚げ荷下ろし時に揚重機を使用するためにパレット・ラックを用いている。このパレット・ラックは工場からの運搬回収にも利用している。
【００８１】
なお、上記実施態様では突起部をボルトとしているが、これに限らず、外部柱の内側に別途形成するようにしてもよい。また、一部のプランでは、室内作業床を設置することで、間仕切耐力壁用柱を設置することができない。このため、１階の室内作業床を撤去後、間仕切耐力壁用柱を後施工する。つまり、先ず、間仕切耐力壁用柱が設置される直上の梁と、ＪＢ（ジュポールベース）を締め付けているボルトを緩める。次に、柱直上の梁を、専用の治具を用いて数ｍｍ持ち上げる。柱を建込み、梁とボルトで接合する。次に、直上の梁を下げ、全てのボルト、アンカーを本締めする。
【００８２】
以上のように、本発明に係る室内作業床では、外部足場を用いた作業と同等の作業が、外部足場を用いないで行うことが可能である。つまり、胴差取付、ボルト接合、階間水切設置、水平目地防水処理が行え、また室内作業床で新たに必要となった作業である転落防止手摺（金物含む）設置、軒先ユニット設置などを室内側から施工するための作業床として施工することが可能となっている。そして、本発明の室内作業床は、特殊な工具を使用することなく、人力で組み立て分解可能であり、設置解体が短時間で可能である。
【符号の説明】
【００８３】
１０  入隅部
１１  入隅用ブラケット
１２  床部
１２ａ  上面
１２ｂ，１２ｃ，１２ｄ，１２ｅ，１２ｆ  側面
１２ｂ１，１２ｃ１，１２ｄ１，１２ｅ１，１２ｆ１  折り返し部
１２ｇ  庇部
１２ｈ  係合突起
１２ｉ  嵌合部材
１３  支持部
１３ａ  第１支持片
１３ｂ  第２支持片
１３ｃ  第３支持片
１３ｄ  係合突起
１３ｅ  第４支持片
１３ｆ  補強部材
１４  上部係合片
１４ａ，１４ｂ  係合片
１４ｃ  固着部
１４ｄ  係合端部
１５  下部係合片
１６  係合支持片
１６ａ  上部係合支持片
１６ａ１  延長部
１６ａ２  穴
１６ｂ  下部係合支持片
１６ｂ１  延長部
１６ｂ２  穴
１７  手摺ブラケット部
１７ａ  本体部
１７ｂ  連結部
１７ｃ  調節穴
１８  手摺支柱
１８ａ  本体部
２０  出隅部
２１  出隅用ブラケット
２２  床部
２２ｂ，２２ｃ，２２ｄ，２２ｅ  側面
２２ｂ１，２２ｃ１，２２ｄ１，２２ｅ１  折り返し部
２２ｇ  庇部
２２ｈ  係合突起
２２ｉ  嵌合部材
２３  支持部
２３ａ  第１支持片
２３ｂ  第２支持片
２３ｄ  係合突起
２３ｅ  第３支持片
２４  係合片
２４ａ  上部係合片
２４ａ１  上面
２４ａ２  背面
２４ａ３  側面
２４ａ４  係合凹部
２４ｂ  下部係合片
２５  第１係合支持片
２５ａ  連結片
２５ｂ  支持プレート
２５ｃ  連結穴
２５ｄ  回動軸
２６  第２係合支持片
２６ｂ  穴
２６ｃ  ボルトナット
２７  手摺ブラケット部
２７ａ  本体部
２７ｂ  連結部
２７ｃ  調節穴
２８  手摺支柱
２８ａ  本体部
３０  直線部
３１  直線用ブラケット
３２  床部
３２ａ  長尺体
３２ａ１  線状体
３２ｂ  内側長尺リブ
３２ｃ  外側長尺リブ
３２ｄ  連結穴
３２ｅ  連結部材
３２ｆ  端部ブラケット
３３  支持部
３３ａ  第１支持片
３３ｂ  第２支持片
３３ｈ  係合突起
３４  係合片
３４ａ  上部係合片部
３４ｂ  下部係合支持片部
３４ｃ  係合片
３４ｄ  連結穴
３５  係合支持片
３５ｃ  穴
３６  ボルトナット
３７  手摺ブラケット部
３７ａ  本体部
３７ｂ  調節穴
３７ｃ  ピン
３８  手摺支柱
３８ａ  下部取付部
３８ｂ  上部取付部
３８ｂ１  中間部
３８ｂ２  二股部
３９ａ，３９ｂ  グラビティロック
４０  手摺
４１  外筒部
４２  内筒部
４３  嵌合穴
４４  ロック機構
５０  昇降手段（梯子）
６０  手摺支柱
Ｂ  突起部（ボルト）
Ｈ  外部柱
Ｈ１  入隅用の外部柱
Ｈ２  出隅用の外部柱
Ｈ３  直線用の外部柱
Ｌ  スリット
Ｐ  外壁パネル
Ｓ  室内作業床
【図１Ａ】
2014047610.tif 000003
【図１Ｂ】
2014047610.tif 000004
【図２Ａ】
2014047610.tif 000005
【図２Ｂ】
2014047610.tif 000006
【図２Ｃ】
2014047610.tif 000007
【図２Ｄ】
2014047610.tif 000008
【図３】
2014047610.tif 000009
【図４Ａ】
2014047610.tif 000010
【図４Ｂ】
2014047610.tif 000011
【図４Ｃ】
2014047610.tif 000012
【図５Ａ】
2014047610.tif 000013
【図５Ｂ】
2014047610.tif 000014
【図５Ｃ】
2014047610.tif 000015
【図５Ｄ】
2014047610.tif 000016
【図６】
2014047610.tif 000017
【図７Ａ】
2014047610.tif 000018
【図７Ｂ】
2014047610.tif 000019
【図７Ｃ】
2014047610.tif 000020
【図７Ｄ】
2014047610.tif 000021
【図８】
2014047610.tif 000022
【図９】
2014047610.tif 000023
【図１０】
2014047610.tif 000024
【図１１Ａ】
2014047610.tif 000025
【図１１Ｂ】
2014047610.tif 000026
【図１１Ｃ】
2014047610.tif 000027
【図１１Ｄ】
2014047610.tif 000028
【図１２Ａ】
2014047610.tif 000029
【図１２Ｂ】
2014047610.tif 000030
【図１２Ｃ】
2014047610.tif 000031
【図１２Ｄ】
2014047610.tif 000032
【図１３】
2014047610.tif 000033
【図１４Ａ】
2014047610.tif 000034
【図１４Ｂ】
2014047610.tif 000035
【図１４Ｃ】
2014047610.tif 000036
【図１５Ａ】
2014047610.tif 000037
【図１５Ｂ】
2014047610.tif 000038
【図１６Ａ】
2014047610.tif 000039
【図１６Ｂ】
2014047610.tif 000040
【図１７】
2014047610.tif 000041
【図１８】
2014047610.tif 000042
【図１９】
2014047610.tif 000043